(57)【要約】【課題】  ダイナミックダンパの車両の上下方向の振動入力に加えて左右方向の振動入力に対してもばね定数を調節可能とし、両方向の共振周波数を高周波数側に移動させ、振動を抑えることにより車両の静粛性を向上させる。【解決手段】  ダイナミックダンパ１０は、内筒金具１２と、外筒金具１５と、内外筒金具間を弾性的に連結するゴム弾性体２１とからなるゴムブッシュ１１と、ゴムブッシュ１１の外筒金具１５が圧入される筒状の質量金具２５とを備えている。内筒金具１２は、軸方向一端にて径方向外方に延びた円環形状のフランジ部１４を設けている。内筒金具１２のフランジ部１４は、トランスミッション側のブラケットである取付部材３１の締結面３２ｂに固定される。フランジ部１４と接触する平坦な締結面３２ｂの外周縁が、内筒金具１２の本体１３の一端外周縁を囲んでいる。【選択図】    図１
2005180574.tif 000002
【特許請求の範囲】
【請求項１】
内筒金具と、該内筒金具の外側に離間して配置された筒状の質量部材と、前記内筒金具と質量部材との間を弾性的に連結するゴム弾性体とを備え、該内筒金具の軸方向一端にて相手部材側の平坦な締結面に取り付けられるダイナミックダンパにおいて、
前記内筒金具が軸方向一端にて径方向外方に延びた環状のフランジ部を設けており、さらに該内筒金具の該フランジ部を除く軸方向一端の外周縁が、前記締結面の該フランジ部に重ね合わされた部分の外周縁によって囲まれている
ことを特徴とするダイナミックダンパ。
【請求項２】
前記質量部材が、軽量の内側筒部と、該内側筒部の外周側に取り付けられる該内側筒部より重量の大きい外側筒部とからなることを特徴とする前記請求項１に記載のダイナミックダンパ。
【請求項３】
前記フランジ部の外周縁によって、前記質量部材の内周縁が囲まれたことを特徴とする前記請求項１又は２に記載のダイナミックダンパ。
【請求項４】
前記質量部材と前記フランジ部との対向面間にゴム弾性体が設けられたことを特徴とする前記請求項３に記載のダイナミックダンパ。
【請求項５】
前記質量部材の外面全体がゴム被覆部で被覆されており、該質量部材が前記ゴム弾性体及び該ゴム被覆部に対して非接着とされていることを特徴とする前記請求項１から４のいずれか１項に記載のダイナミックダンパ。
【請求項６】
軸方向と軸直角方向での共振周波数がそれぞれ異なった周波数に調整されていることを特徴とする前記請求項１から５のいずれか１項に記載のダイナミックダンパ。
【発明の詳細な説明】
【技術分野】
【０００１】
本発明は、内筒金具と質量部材との間がゴム弾性体により弾性的に連結され、内筒金具の軸方向一端にて車両のトランスミッション、センターベアリングサポート等の相手部材側の平坦な締結面に取り付けられるダイナミックダンパに関する。
【背景技術】
【０００２】
従来、この種のダイナミックダンパとしては、例えば特許文献１に示すように、筒状部とその軸方向一端にて径方向外方に突出した環状の外フランジ部を持つ内筒金具と、内筒金具の外側に間隔を隔てて同軸状に配置され、筒部とその軸方向一端にて径方向外方に突出した環状の外フランジを持つ外筒金具と、内外筒金具間に介在されるゴム弾性体と、外筒金具の外周部に圧入されたマス部材とからなるものが知られている。このダイナミックダンパは、複数のリーフスプリングブッシュを囲繞するように取り付けられた取付用部材から突出させて内筒金具の軸孔に挿通される取付軸部材により、内筒金具の軸方向が上下方向に向くようにして固定される。このダイナミックダンパは、内筒金具の軸方向が車両の上下方向になるように固定され、軸方向のばね定数を高ばね化させるために、内筒金具の外フランジ部と外筒金具の外フランジ部とを対向配置させたり、内筒金具の筒状部の軸方向一端に別体のストッパプレートを設けて外筒金具の外フランジ部と対応配置させたりしてゴム弾性体を軸方向に圧縮または引張り状態にしている。これにより、ダイナミックダンパの上下方向の振動の共振周波数を高くさせ、それによりマス部材の質量を変えずに限られたスペース内での高周波数の振動を低減させるものである。
【０００３】
ところで、車両の静粛性の向上の要請に伴い、ダイナミックダンパに対して車両の上下方向の高周波振動の低減に加えて、左右方向の振動の低減も求められるようになっている。しかし、上記ダイナミックダンパは、相手部材側への取り付けがストレートな小面積の内筒金具の一端部で行われるため、左右方向の振動入力に対して内筒金具の倒れ剛性が低くすなわち倒れ易くなっている。これにより、ゴム弾性体のばね定数増加に対し共振周波数の増加が伴わないため、左右方向の高周波数の振動を低減させることができないという問題がある。同様な構造のダイナミックダンパについては、特許文献２、３にも示されており、特許文献１に記載されたダイナミックダンパと同様の問題がある。
【特許文献１】特開２００３−４０９５号公報
【特許文献２】特開２０００−３３７４３１号公報
【特許文献３】実開平１−１４６０２５号公報
【発明の開示】
【発明が解決しようとする課題】
【０００４】
本発明は、上記した問題を解決しようとするもので、車両の上下方向の振動入力に加えて左右方向の振動入力に対してもばね定数を調節することが可能で、二方向の共振周波数を高周波数側に移動させることにより両方向の振動を抑え、車両の静粛性を向上させることが可能なダイナミックダンパを提供することを目的とする。
【課題を解決するための手段】
【０００５】
上記目的を達成するために、本発明の構成上の特徴は、内筒金具と、内筒金具の外側に離間して配置された筒状の質量部材と、内筒金具と質量部材との間を弾性的に連結するゴム弾性体とを備え、内筒金具の軸方向一端にて相手部材側の平坦な締結面に取り付けられるダイナミックダンパにおいて、内筒金具が軸方向一端にて径方向外方に延びた環状のフランジ部を設けており、さらに内筒金具のフランジ部を除く軸方向一端の外周縁が、締結面のフランジ部に重ね合わされた部分の外周縁によって囲まれていることにある。
【０００６】
上記のように構成した本発明においては、内筒金具の一端にて径方向外方に延びた環状のフランジ部を設けており、内筒金具はフランジ部によって相手部材の締結面に取り付けられる。さらに、この締結面の内筒金具のフランジ部に重ね合わされた部分の外周縁によってフランジ部を除く内筒金具の軸方向一端の外周縁が囲まれている。このように、内筒金具と相手部材の締結面との接触面積が広くされることにより内筒金具が締結面に強固に固定され、軸直角方向の振動入力に対して内筒金具の倒れ剛性が高められた状態で相手部材側に支持される。それにより、ダイナミックダンパが軸方向を上下に向けて車両に取り付けられることにより、左右方向の振動入力に対してダイナミックダンパの共振周波数が低下することなく予め調整された値に保たれる。その結果、本発明によれば、車両の上下方向に加えて左右方向の共振周波数が適正に設定され、車両に加わる上下及び左右の２方向の高周波数の振動入力を適正に抑制することができことにより、車両の静粛性を大幅に高めることができる。
【０００７】
また、上記ダイナミックダンパにおいて、質量部材が、軽量の内側筒部と、内側筒部の外周側に取り付けられる内側筒部より重量の大きい外側筒部とからなるものであってもよい。これにより、質量部材の重量が非常に大きい場合に、軽量の内側筒部と、内側筒部より重量の大きい外側筒部とに分けることができ、内筒金具と軽量の内側筒部との間にゴム弾性体を加硫成形した後に、加硫成形品を外側筒部に取り付けれることができる。その結果、ゴム弾性体の加硫成形が簡易にされるため、内側筒部と外側筒部の取り付けも含めたダイナミックダンパの全体の製造工程が簡易にされ、ダイナミックダンパが安価に提供される。
【０００８】
また、本発明においては、フランジ部の外周縁によって、質量部材の内周縁が囲まれたものとすることができる。このように、フランジ部の外周縁によって質量部材の内周縁が囲まれたことにより、フランジ部と相手部材の締結面との接触面積を広げることが可能になり、それに応じてフランジ部が相手部材にさらに強固に固定される。その結果、内筒金具の倒れに対する剛性がさらに高められ、ダイナミックダンパの左右方向の高周波数の振動入力を減衰させる性能がさらに高められる。
【０００９】
また、上記ダイナミックダンパにおいて、質量部材とフランジ部との対向面間にゴム弾性体が設けられたものとすることができる。このように、質量部材とフランジ部との対向面間にゴム弾性体が設けられたことにより、ゴム弾性体の剪断変形に加えて圧縮変形を利用することができるため、ゴム弾性体のばね定数をさらに幅広く調整することが可能になる。その結果、車両の上下及び左右方向の振動を低減するための調整をさらに適正に行うことが可能になった。
【００１０】
また、上記ダイナミックダンパにおいて、質量部材の外面全体がゴム被覆部で被覆されており、質量部材がゴム弾性体及びゴム被覆部に対して非接着とされたものであってもよい。このように、質量部材がゴム弾性体及びゴム被覆部に対して非接着にされることにより、ゴム加硫成形の工程において金具の接着処理等の手間が省かれるため、ダイナミックダンパの製造コストが安価にされる。
【００１１】
また、上記ダイナミックダンパにおいて、軸方向と軸直角方向での共振周波数がそれぞれ異なった周波数に調整されているようにすることができる。このように、軸方向と軸直角方向での共振周波数がそれぞれ異なった周波数に調整されていることにより、車両の上下及び左右方向の振動入力に応じてそれぞれを適正に減衰させることができる。
【発明の効果】
【００１２】
本発明によれば、内筒金具がフランジ部によって相手部材の締結面に強固に固定され、軸直角方向の振動入力に対して内筒金具の倒れ剛性が高められた状態で相手部材に支持されることにより、軸直角方向の振動入力に対してダイナミックダンパの共振周波数の低下が防止される。その結果、本発明においては、軸方向及び軸直角方向の２方向の共振周波数が適正に設定されるため、車両に加わる上下方向及び左右方向の高周波数の振動入力を適正に抑制することができ、車両の静粛性を大幅に高めることができる。
【００１３】
また、質量部材を、軽量の内側筒部と、内側筒部より重量の大きい外側筒部とに分けることにより、ゴム弾性体の加硫成形が非常に簡易にされるため、ダイナミックダンパが安価に提供される。また、フランジ部の外周縁によって質量部材の内周縁が囲まれたことにより、内筒金具の倒れに対する剛性がさらに高められ、ダイナミックダンパの左右方向の振動をさらに効果的に抑えることができる。さらに、質量部材とフランジ部との対向面間にゴム弾性体を設けたことにより、ゴム弾性体の剪断変形に加えて圧縮変形を利用することができるため、ゴム弾性体のばね定数をさらに幅広く調整することが可能になり、車両の上下及び左右方向の振動がさらに適正に抑えられる。
【００１４】
また、上記ダイナミックダンパにおいて、質量部材がゴム弾性体及びゴム被覆部に対して非接着にされることにより、ゴム加硫成形の手間が簡易にされ、ダイナミックダンパの製造コストが安価にされる。また、上記ダイナミックダンパの軸方向と軸直角方向での共振周波数がそれぞれ異なった周波数に調整されていることにより、車両の上下及び左右方向の振動入力に応じてそれぞれを適正に減衰させることができ、車両の静粛性が高められる。
【発明を実施するための最良の形態】
【００１５】
以下、本発明の一実施例を図面を用いて説明する。図１及び図２は、第１実施例である自動車のトランスミッションに取り付けて使用されるダイナミックダンパ１０を断面図及び側面図により示したものである。図３は、ダイナミックダンパ１０を構成するゴムブッシュ１１を断面図により示したものである。図４は、ダイナミックダンパ１０を構成する質量金具２５を正面図及び底面図により示したものである。図５は、相手部材であるトランスミッション側のブラケットである取付部材３１を正面図及び側面図により示したものである。
【００１６】
ダイナミックダンパ１０は、内筒金具１２と、内筒金具１２の外側に離間して同軸状に配置された筒状の外筒金具１５と、内外筒金具１２，１５との間を弾性的に連結するゴム弾性体２１とからなるゴムブッシュ１１と、ゴムブッシュ１１の外筒金具１５が圧入される筒状の質量金具２５とを備えている。また、このダイナミックダンパ１０には、取付部材３１が、内筒金具１２の軸孔１２ａに挿通して取り付けられている。第１実施例においては、外筒金具１５は内側筒部として、質量金具２５は外側筒部として、両者一体となって質量部材として機能する分離タイプの質量部材となっている。なお、以下の説明において、ダイナミックダンパ１０の各部の上下、左右及び前後方向については、ダイナミックダンパ１０が車両に取り付けられた状態である図１の上下、左右及び前後（図１の前面側が車両の後に対応する）に合わせるものとする。
【００１７】
内筒金具１２は、図３に示すように、真直ぐな円筒形の本体１３と、その軸方向一端（図示上端）に固定されて径方向外方に延びた円環形状のフランジ部１４とを設けている。外筒金具１５は、薄肉円筒形で軸方向長さが内筒金具１２の本体１３より短い本体１６と、本体１６の軸方向一端にて径方向外方に延びた環状の鍔部１７と、軸方向他端（図示下端）にて軸心方向にわずかに延びた曲げ部１８とを一体で設けている。鍔部１７の外径は、上記フランジ部１４の外径と略同一にされている。外筒金具１５は、薄肉の金属パイプにプレス加工及び絞り加工を施すことにより形成される。
【００１８】
ゴム弾性体２１は、内筒金具１２の本体１３及びフランジ部１４と、外筒金具１５の本体１６及び鍔部１７間に充填されて両金具１２，１５間を弾性的に連結している。ゴム弾性体２１は、内外筒金具１２，１５のそれぞれの本体１３と本体１６に挟まれた筒部２２と、フランジ部１４と鍔部１７に挟まれた環状部２３とからなる。ゴム弾性体２１は、内筒金具１２と外筒金具１５を成形金型にセットしてゴム加硫成形をおこなうことにより、内外筒金具１２，１５と一体で形成され、これによりダイナミックダンパ１０を構成するゴム加硫成形品である図３に示すゴムブッシュ１１が形成される。
【００１９】
質量金具２５は、図４に示すように、厚肉の直方体ブロック形状であり、上面２５ａから厚さ方向の中間に至る部分が平面視で略正方形の上側部２６であり、厚さ方向の中間位置にて左右両側が下方内側に向けて略４５°に傾斜した傾斜面となっている中間部２７になっており、その下側が左右両側間の短い平面視で長方形の下側部２８になっている。質量金具２５の中心位置には、上下方向（厚さ方向）に貫通する円形の貫通孔２９が設けられている。貫通孔２９は、上側部２６に設けられた上孔部２９ａと、中間部２７及び下側部２８に設けられた下孔部２９ｂとからなる。上孔部２９ａの内径は、外筒金具１５の本体１６の外径よりわずかに小さくされており、外筒金具１５が圧入されることによって上孔２９ａに強固に固定されるようになっている。下孔部２９ｂは上孔部２９ａより大径であり、両者の境界が径方向に広がった段部２９ｃになっている。また、上孔部２９ａの上面２５ａ側は上面２５ａに向けて円錐面状に広げられたテーパ面２９ｄとなっている。上記ゴムブッシュ１１が、外筒金具１５の曲げ部１８側にて、質量金具２５の上面２５ａから貫通孔２９の上孔部２９ａに圧入により挿嵌されることにより、ダイナミックダンパ１０が得られる。
【００２０】
取付部材３１は、長方形の中央板部３２と、中央板部３２の対向する長辺において略４５°に同一方向に曲げられて傾斜した長方形の一対の傾斜板部３３とを一体で設けている。中央板部３２及び傾斜板部３３は、その連結方向の長さが短く、連結方向に直交する幅方向の長さが長くなっている。中央板部３２の連結方向長さは、フランジ部１４の外径より小さくまた内筒金具１２の本体１３の外径より大きくなっている。また、中央板部３２の幅方向の長さがフランジ部１４の外径より大きくなっている。中央板部３２は、その中心位置に取付孔３２ａを有しており、その傾斜板部３３に対する反対面が内筒金具１２のフランジ部１４に取り付けられる締結面３２ｂになっている。取付孔３２ａには、ボルト３４がその頭部３４ａが傾斜板部３３側に位置するように挿通されて、頭部３４ａが取付孔３２ａに係止されて溶接等により中央板部３２に固定されている。また、両傾斜板部３３の幅方向両端近傍には、それぞれ一対の取付孔３３ａが設けられている。取付部材３１のボルト３４の先端側には、円環状の薄板である抜止め金具３５が挿通されると共にナット３６が螺着されている。抜止め金具３５の内径は、ボルト３４の外形とほぼ同等であり、その外径は質量金具２５の上孔部２９ａの内径より大きくされている。
【００２１】
つぎに、ダイナミックダンパ１０の組立について説明する。ゴムブッシュ１１に対して、取付部材３１のボルト３４が、フランジ部１４側から内筒金具１２の軸孔１２ａに挿通され、ボルト３４の先端に抜止め金具３５を介してナット３６を螺着することにより、取付部材３１が内筒金具１２に取り付けられる。ここで、抜止め金具３５の外径が、質量金具２５の上孔部２９ａの内径より大きくされているため、外筒金具１５が質量金具２５から抜けても、ゴムブッシュ１１全体の質量金具２５からの抜けが防止されるようになっている。一方、相手部材であるトランスミッション１に対して、ダイナミックダンパ１０に取り付けられた取付部材３１の両傾斜板部３３が、取付孔３３ａを介してボルト等の取付具（図示しない）により固定される。これにより、ダイナミックダンパ１０は、相手部材であるトランスミッション１に対して軸方向を車両の上下方向に向けた状態で組み付けられる。
【００２２】
上記のように構成した第１実施例においては、ダイナミックダンパ１０が内筒金具１２の一端にて径方向外方に延びたフランジ部１４を設けており、さらにフランジ部１４と接触する取付部材３１の締結面３２ｂの外周縁が内筒金具１２の本体１３の外周縁より大きくなってこれを囲んだ状態となっている。このように、フランジ部１４と締結面３２ｂとの接触面積が広くされていることにより、内筒金具１２が取付部材３１の締結面３２ｂに強固に固定され、そのため、車両の水平方向の振動入力に対して内筒金具１２が、その倒れ剛性が高められた状態でトランスミッション１側に支持される。それにより、左右方向の振動入力に対してダイナミックダンパ１０の共振周波数が低くなることがなく、予め規定した高周波側に保持されるため、左右方向の高周波の振動入力が有効に抑えられる。その結果、第１実施例によれば、車両上下方向に左右方向を加えた２方向の共振周波数が適正に設定され、車両に加わる上下方向及び左右方向の高周波の振動入力を適正に抑制することができるため、車両の静粛性を大幅に高めることができる。
【００２３】
また、上記ダイナミックダンパ１０において、質量部材としての質量金具２５と外筒金具１５を合わせた重量が非常に大きくなっているが、非常に軽量の外筒金具１５と、その外周側に取り付けられる重量の大きい質量金具２５とに分けられている。そのため、内筒金具１２と軽量の外筒金具１５との間にゴム弾性体２１を加硫成形した後に、ゴムブッシュ１１を質量金具２５に圧入して取り付ければよいので、ゴム弾性体２１の加硫成形が非常に簡易にされる。その結果、第１実施例においては、外筒金具１５と質量金具２５の取り付けも含めたダイナミックダンパ１０の全体の製造工程が簡易にされ、ダイナミックダンパ１０が安価に提供される。
【００２４】
また、ダイナミックダンパ１０は、フランジ部１４の外径が外筒金具１５の本体１６の内径より大きくされ、フランジ部１４の外周縁によって本体１６の内周縁が囲まれていることにより、フランジ部１４と取付部材３１の締結面３２ｂとの接触面積が大きくされた。その結果、内筒金具１２の倒れに対する剛性がさらに高められることにより、ダイナミックダンパ１０の左右方向の高周波の振動入力を減衰させる性能がさらに高められる。
【００２５】
さらに、ダイナミックダンパ１０において、外筒金具１５の鍔部１７とフランジ部１４との対向面間にまでゴム弾性体２１が設けられたことにより、ゴム弾性体２１の剪断変形に加えて圧縮変形を利用することができるため、ゴム弾性体２１のばね定数をさらに幅広く調整することが可能になる。その結果、車両の上下及び左右方向の振動に応じて各振動を調整によりさらに効果的に抑えることが可能になった。また、上記ダイナミックダンパ１０において、上下方向と左右方向での共振周波数がそれぞれ異なった周波数に調整可能にされたことにより、車両の上下及び左右方向の振動入力を適正に減衰させることができ、車両の静粛性が高められる。
【００２６】
つぎに、第２実施例について説明する。
図６及び図７は、第２実施例である車両のプロペラシャフトのジョイント部分であるセンターベアリングサポート２に取り付けられるダイナミックダンパ４０を部分断面図及び平面図により示し、図８はダイナミックダンパ４０のセンターベアリングサポート２への取り付け状態を断面図により示したものである。ダイナミックダンパ４０は、内筒金具４１と、内筒金具４１の外側に同軸状に離間して配置された筒状の質量金具４５と、両金具４１，４５との間を弾性的に連結するゴム弾性体４６とからなる。
【００２７】
内筒金具４１は、上記内筒金具１２と同様に、真直ぐな円筒形の本体４２の軸方向一端に固定されて径方向外方に延びた円環形状のフランジ部４３を設けている。質量金具４５は、厚肉の円筒形の金具であり、その内径がフランジ部４３の外径より小さく、外径がフランジ部４３の外径より大きくなっており、さらに軸方向長さが内筒金具１２の軸方向長さより短くなっている。ゴム弾性体４６は、内筒金具４１の本体４２及びフランジ部４３と、質量金具４５の内周面及び軸方向一端（図示下端）間に充填されて両金具４１，４５間を弾性的に連結している。ゴム弾性体４６は、本体４２と質量金具４５内周面に挟まれた筒部４７と、フランジ部４３と質量金具の軸方向一端間に挟まれた環状部４８とからなる。ゴム弾性体４６は、内筒金具４１と質量金具４５を成形金型にセットしてゴム加硫成形をおこなうことにより、両金具４１，４５と一体で形成され、これによりダイナミックダンパ４０が形成される。
【００２８】
このダイナミックダンパ４０は、図８に示すように、相手部材であるセンターベアリングサポート２の平坦な締結面３に対して軸方向を上下に向けて配置され、フランジ部４３にて締結面３に重ね合わされ、内筒金具４１の下端から軸孔４１ａを通して挿通されたボルト４により締結面３に固定される。
【００２９】
上記のように構成した第２実施例においては、ダイナミックダンパ４０が内筒金具４１の一端にて径方向外方に延びたフランジ部４３を設けており、さらにフランジ部４３と接触する締結面３の外周縁が内筒金具４１の本体４２の一端外周縁を囲んで大きくされている。そのため、内筒金具４１がセンタベアリングサポート２の締結面３に強固に固定され、水平方向の振動入力に対して倒れ剛性が高められた状態でセンタベアリングサポート２側に支持される。それにより、車両の左右方向の振動入力に対してダイナミックダンパ４０の共振周波数の低下が防止され高周波数に保たれる。その結果、第２実施例においても、上記第１実施例と同様に、車両の上下及び左右の２方向の共振周波数が適正に設定されため、車両に加わる上下方向及び左右方向の高周波の振動入力を適正に抑制することができ、車両の静粛性を大幅に高めることができる。
【００３０】
また、ダイナミックダンパ４０は、フランジ部４３の外径が質量金具４５の内径より大きくされ、フランジ部４３の外周縁によって質量金具４５の内周縁が囲まれていることにより、フランジ部４３と相手側の締結面３との接触面積が大きくされた。その結果、第２実施例においても、内筒金具４１の倒れに対する剛性がさらに高められ、ダイナミックダンパ４０の左右方向の振動を抑える性能がさらに高められる。さらに、ダイナミックダンパ４０において、質量金具４５とフランジ部４３との対向面間にまでゴム弾性体４６の環状部４８が設けられたことにより、ゴム弾性体４６の剪断変形に加えて圧縮変形を利用することができるため、ゴム弾性体４６のばね定数をさらに幅広く調整することが可能になる。その結果、第２実施例においても、車両の上下及び左右方向の高周波の振動入力を減衰させるための調整をさらに適正に行うことが可能になった。
【００３１】
なお、上記第２実施例の変形例として、上記ゴム弾性体４６に代えて、図９に示すように、ゴム弾性体４６Ａを、本体４２と質量金具４５内周面に挟まれた筒部のみとし、フランジ部４３と質量金具４５の軸方向一端間に挟まれた部分には設けないようにしたものである。このように、ゴム弾性体４６Ａのフランジ部４３と質量金具４５の軸方向一端間の部分が省かれたことにより、ゴム弾性体４６Ａの圧縮成分を活用できなくなる。しかし、フランジ部４３とセンタベアリングサポート２の締結面３との接触面積が広げられたことによる内筒金具４１の倒れに対する剛性が高められる効果は得られるため、ダイナミックダンパ４０の左右方向の振動を抑える性能は高められる。したがって、変形例のダイナミックダンパについても、場合によっては使用が可能になる。
【００３２】
つぎに、第３実施例について説明する。
第３実施例は、上記第２実施例のダイナミックダンパ４０のゴム弾性体の構成を変更したものである。図１０に示すように、本実施例のダイナミックダンパ４０Ｂは、内筒金具４１と、内筒金具４１の外側に同軸状に離間して配置された筒状の質量金具４５と、両金具４１，４５との間を弾性的に連結するゴム弾性体４６に加えて、質量金具４５のゴム弾性体４６によって被覆されていない外側部分を薄肉のゴム被覆部４９によって被覆したものである。また、これによりゴム弾性体４６及びゴム被覆部４９については、質量金具４５に非接着としたものである。
【００３３】
上記のように構成した第３実施例においても、上記第２実施例に示したと同様に、車両の上下方向に加えて、左右方向の振動入力を抑えることができ、車両の静粛性を向上させる効果が得られると共に、質量金具４５がゴム弾性体４６及びゴム被覆部４９に対して非接着にされたことにより、金具の接着処理等の手間が省かれるため、ゴム加硫成形が簡易にされ、ダイナミックダンパの製造コストが安価にされる。
【００３４】
なお、上記実施例において、ゴム弾性体は金具間に隙間なしに設けられている、ゴム弾性体の適正な位置に軸方向に貫通した空間部を設けることができ、これにより前後左右方向のばね定数を調整することができ、ダイナミックダンパの振動入力減衰性能を適正に調整することができる。また、本発明のダイナミックダンパの具体的外形等については、上記実施例に示したものに限られるものではなく、例えば、内外筒金具、質量金具、ゴム弾性体、取付部材等の形状について適宜変更可能である。その他、上記実施例に示したものは一例であり、本発明の主旨を逸脱しない範囲で、種々変更して実施することが可能である。
【産業上の利用可能性】
【００３５】
本発明のダイナミックダンパは、車両の上下方向及び左右方向の２方向の振動入力の共振特性を調整することにより、両方向の振動入力を有効に抑えることができ、車両の静粛性を非常に向上させることができるため、有用である。
【図面の簡単な説明】
【００３６】
【図１】本発明の第１実施例であるダイナミックダンパを示す図２のＩ−Ｉ線方向の断面図である。
【図２】同ダイナミックダンパを示す側面図である。
【図３】同ダイナミックダンパを構成するゴムブッシュを示す軸線位置での断面図である。
【図４−１】同ダイナミックダンパを構成する質量金具を示す正面図である。
【図４−２】同ダイナミックダンパを構成する質量金具を示す底面図である。
【図５−１】同ダイナミックダンパの取付金具を示す図５−２のＶ−Ｖ線方向の断面図である。
【図５−２】同ダイナミックダンパの取付金具を示す側面図である。
【図６】第２実施例であるダイナミックダンパを示す図７のＶＩ−ＶＩ線方向の部分断面図である。
【図７】同ダイナミックダンパを示す平面図である。
【図８】同ダイナミックダンパの相手部材への取付状態を示す断面図である。
【図９】変形例であるダイナミックダンパを示す軸線位置での断面図である。
【図１０】第３実施例であるダイナミックダンパを示す軸線位置での断面図である。
【符号の説明】
【００３７】
１０…ダイナミックダンパ、１１…ゴムブッシュ、１２…内筒金具、１４…フランジ部、１５…外筒金具、２１…ゴム弾性体、２５…質量金具、２９…貫通孔、３１…取付部材、３２…中央板部、３２ｂ…締結面、３４…ボルト、４０…ダイナミックダンパ、４１…内筒金具、４３…フランジ部、４５…質量金具、４６…ゴム弾性体、４９…ゴム被覆部。
【図１】
2005180574.tif 000003
【図２】
2005180574.tif 000004
【図３】
2005180574.tif 000005
【図４−１】
2005180574.tif 000006
【図４−２】
2005180574.tif 000007
【図５−１】
2005180574.tif 000008
【図５−２】
2005180574.tif 000009
【図６】
2005180574.tif 000010
【図７】
2005180574.tif 000011
【図８】
2005180574.tif 000012
【図９】
2005180574.tif 000013
【図１０】
2005180574.tif 000014